【手続補正書】
【提出日】平成28年6月15日(2016.6.15)
【手続補正１】
【補正対象書類名】特許請求の範囲
【補正対象項目名】全文
【補正方法】変更
【補正の内容】
【特許請求の範囲】
【請求項１】
識別子を伴う商品をラベル付けするためのシステムであって、
光学式分光リーダを使用して読み取り可能な第１の標識を各タイプが有する１つ以上のタイプのルゲートタグを商品に追加する識別子追加部と、
少なくとも一部には前記光学式分光リーダを使用して前記商品の前記１つ以上のタイプのルゲートタグを読み取ることに基づいて生成されるラベルであって物品情報を含むラベルを生成するラベル生成部と、
を備えるシステム。
【請求項２】
請求項１に記載のシステムであって、
各タイプのルゲートタグは、光学式分光リーダを使用して読み取り可能な第２の標識を有する、システム。
【請求項３】
請求項１に記載のシステムであって、
前記１つ以上のタイプのルゲートタグのうちの一タイプが、形状と、数に関連付けられた特性化を有することと、空間的配列の形に配置することと、前記１つ以上のタイプのルゲートタグの一タイプの形状を撮像することによる特性化と、視界の範囲で見える信用マークを伴って若しくは伴わずに前記１つ以上のタイプのルゲートタグの複数タイプを撮像することによる特性化と、のうちの１つ以上に応じて選択される、システム。
【請求項４】
請求項１に記載のシステムであって、
前記１つ以上のタイプのルゲートタグはランダム形状に超音波撹拌を使用して作成される、システム。
【請求項５】
請求項１に記載のシステムであって、
前記商品は、経口固形製剤を含む、システム。
【請求項６】
請求項５に記載のシステムであって、
前記経口固形製剤は、錠剤、カプセル、カプレット、粉末、結晶粉末、又は薄膜の１つを含む、システム。
【請求項７】
請求項１に記載のシステムであって、
前記商品は、液剤を含む、システム。
【請求項８】
請求項７に記載のシステムであって、
前記液剤は、クリーム、ゲル、塗布薬、香膏、水剤、注射剤、又は軟膏の１つを含む、システム。
【請求項９】
少なくとも一部には１つ以上のタイプのルゲートタグを読み取ることに基づいて生成されるラベルであって、
前記１つ以上のタイプのルゲートタグは、１つ以上の商品に追加され、
各タイプのルゲートタグは、光学式分光リーダを使用して読み取り可能な標識を有する、ラベル。
【請求項１０】
請求項９に記載のラベルであって、
各タイプのルゲートタグは、光学式分光リーダを使用して読み取り可能な第２の標識を有する、ラベル。
【請求項１１】
請求項９に記載のラベルであって、
前記１つ以上の商品の１つは、経口固形製剤を含む、ラベル。
【請求項１２】
請求項１１に記載のラベルであって、
前記経口固形製剤は、錠剤、カプセル、カプレット、粉末、結晶粉末、又は薄膜の１つを含む、ラベル。
【請求項１３】
請求項９に記載のラベルであって、
前記１つ以上の商品の１つは、液剤を含む、ラベル。
【請求項１４】
請求項１３に記載のラベルであって、
前記液剤は、クリーム、ゲル、塗布薬、香膏、水剤、注射剤、又は軟膏の１つを含む、ラベル。
【請求項１５】
識別子追加部のためのシステムであって、
或るタイプの商品用の１つ以上の識別子を決定するエンコーダと、
少なくとも一部には前記１つ以上の識別子に基づいて決定される１つ以上のタイプのルゲートタグを作成するタグ作成部と、
前記識別子追加部と、
を備え、
前記識別子追加部は、前記１つ以上のタイプのルゲートタグを前記商品に追加する、
システム。
【請求項１６】
請求項１５に記載のシステムであって、
前記１つ以上のタイプのルゲートタグの一タイプが、形状と、数に関連付けられた特性化を有することと、空間的配列の形に配置することと、前記１つ以上のタイプのルゲートタグの一タイプの形状を撮像することによる特性化と、視界の範囲で見える信用マークを伴って若しくは伴わずに前記１つ以上のタイプのルゲートタグの複数タイプを撮像することによる特性化と、のうちの１つ以上に従って選択される、システム。
【請求項１７】
請求項１５に記載のシステムであって、
前記１つ以上のタイプのランダム形状のルゲートタグは、超音波撹拌を使用して作成される、システム。
【請求項１８】
請求項１５に記載のシステムであって、
前記商品は、経口固形製剤を含む、システム。
【請求項１９】
請求項１８に記載のシステムであって、
前記経口固形製剤は、錠剤、カプセル、カプレット、粉末、結晶粉末、又は薄膜の１つを含む、システム。
【請求項２０】
請求項１５に記載のシステムであって、
前記商品は、液剤を含む、システム。
【請求項２１】
請求項２０に記載のシステムであって、
前記液剤は、クリーム、ゲル、塗布薬、香膏、水剤、注射剤、又は軟膏の１つを含む、システム。
【請求項２２】
識別子を伴う商品であって、
光学式分光リーダを使用して読み取り可能な標識を各タイプが有する１つ以上のタイプのルゲートタグがＳＯＤＦ又は液剤に追加されている商品。
【請求項２３】
請求項２２に記載の商品であって、
各タイプのルゲートタグは、イメージャを使用して読み取り可能な標識を有する、商品。
【請求項２４】
請求項２２に記載の商品であって、
前記商品は、経口固形製剤を含む、商品。
【請求項２５】
請求項２４に記載の商品であって、
前記経口固形製剤は、錠剤、カプセル、カプレット、粉末、結晶粉末、又は薄膜の１つを含む、商品。
【請求項２６】
請求項２２に記載の商品であって、
前記１つ以上の商品の１つは、液剤を含む、商品。
【請求項２７】
請求項２６に記載の商品であって、
前記液剤は、クリーム、ゲル、塗布薬、香膏、水剤、注射剤、又は軟膏の１つを含む、商品。
【手続補正２】
【補正対象書類名】明細書
【補正対象項目名】発明の名称
【補正方法】変更
【補正の内容】
【発明の名称】識別子を伴うパッケージング商品を作成するためのシステム、ラベル、及び、商品
【手続補正３】
【補正対象書類名】明細書
【補正対象項目名】００４０
【補正方法】変更
【補正の内容】
【００４０】
以上の実施形態は、理解を明瞭にする目的で幾らか詳細に説明されてきたが、発明は、提供された詳細に限定されない。発明を実現するためには、数々の代替的手法がある。開示された実施形態は、例示のためであり、限定的ではない。
本発明は、以下の適用例としても実現可能である。
［適用例１］
識別子を伴う商品をパッケージングするためのシステムであって、
光学式分光リーダを使用して読み取り可能な第１の標識を各タイプが有する１つ以上のタイプのシリカベースのタグを商品に追加する識別子追加部と、
少なくとも一部には前記光学式分光リーダを使用して前記商品の前記１つ以上のタイプのシリカベースのタグを読み取ることに基づいて生成されるラベルであって物品情報を含むラベルを生成するラベル生成部と、
パッケージ上に前記ラベルを含め、前記パッケージのなかに前記商品を含めるパッケージング部と、
を備えるシステム。
［適用例２］
適用例１に記載のシステムであって、
各タイプのシリカベースのタグは、光学式分光リーダを使用して読み取り可能な第２の標識を有する、システム。
［適用例３］
適用例１に記載のシステムであって、
前記１つ以上のタイプのシリカタグのうちの一タイプが、形状と、数に関連付けられた特性化を有することと、空間的配列の形に配置することと、前記１つ以上のタイプのシリカタグの一タイプの形状を撮像することによる特性化と、視界の範囲で見える信用マークを伴って若しくは伴わずに前記１つ以上のタイプのシリカタグの複数タイプを撮像することによる特性化と、のうちの１つ以上に応じて選択される、システム。
［適用例４］
適用例１に記載のシステムであって、
前記１つ以上のタイプのランダム形状のシリカタグは、超音波撹拌を使用して作成される、システム。
［適用例５］
適用例１に記載のシステムであって、
前記商品は、経口固形製剤を含む、システム。
［適用例６］
適用例５に記載のシステムであって、
前記経口固形製剤は、錠剤、カプセル、カプレット、粉末、結晶粉末、又は薄膜の１つを含む、システム。
［適用例７］
適用例１に記載のシステムであって、
前記商品は、液剤を含む、システム。
［適用例８］
適用例７に記載のシステムであって、
前記液剤は、クリーム、ゲル、塗布薬、香膏、水剤、注射剤、又は軟膏の１つを含む、システム。
［適用例９］
商品のパッケージであって、
光学式分光リーダを使用して読み取り可能な標識を各タイプが有する１つ状のタイプのシリカベースのタグを追加される１つ以上の商品と、
少なくとも一部には前記１つ以上のタイプのシリカベースのタグを読み取ることに基づいて生成されるラベルと、
を備えるパッケージ。
［適用例１０］
適用例９に記載のパッケージであって、
各タイプのシリカベースのタグは、光学式分光リーダを使用して読み取り可能な第２の標識を有する、パッケージ。
［適用例１１］
適用例９に記載のパッケージであって、
前記１つ以上の商品の１つは、経口固形製剤を含む、パッケージ。
［適用例１２］
適用例１１に記載のパッケージであって、
前記経口固形製剤は、錠剤、カプセル、カプレット、粉末、結晶粉末、又は薄膜の１つを含む、パッケージ。
［適用例１３］
適用例９に記載のパッケージであって、
前記１つ以上の商品の１つは、液剤を含む、パッケージ。
［適用例１４］
適用例１３に記載のパッケージであって、
前記液剤は、クリーム、ゲル、塗布薬、香膏、水剤、注射剤、又は軟膏の１つを含む、パッケージ。
［適用例１５］
識別子を伴う或るタイプの商品をパッケージングするためのシステムであって、
或るタイプの商品用の１つ以上の識別子を決定するエンコーダと、
少なくとも一部には前記１つ以上の識別子に基づいて決定される１つ以上のタイプのシリカベースのタグを作成するタグ作成部と、
前記１つ以上のタイプのシリカベースのタグを前記商品に追加する識別子追加部と、
を備えるシステム。
［適用例１６］
適用例１５に記載のシステムであって、
前記１つ以上のタイプのシリカタグの一タイプが、形状と、数に関連付けられた特性化を有することと、空間的配列の形に配置することと、前記１つ以上のタイプのシリカタグの一タイプの形状を撮像することによる特性化と、視界の範囲で見える信用マークを伴って若しくは伴わずに前記１つ以上のタイプのシリカタグの複数タイプを撮像することによる特性化と、のうちの１つ以上に従って選択される、システム。
［適用例１７］
適用例１５に記載のシステムであって、
前記１つ以上のタイプのランダム形状のシリカタグは、超音波撹拌を使用して作成される、システム。
［適用例１８］
適用例１５に記載のシステムであって、
前記商品は、経口固形製剤を含む、システム。
［適用例１９］
適用例１８に記載のシステムであって、
前記経口固形製剤は、錠剤、カプセル、カプレット、粉末、結晶粉末、又は薄膜の１つを含む、システム。
［適用例２０］
適用例１５に記載のシステムであって、
前記商品は、液剤を含む、システム。
［適用例２１］
適用例２０に記載のシステムであって、
前記液剤は、クリーム、ゲル、塗布薬、香膏、水剤、注射剤、又は軟膏の１つを含む、システム。
［適用例２２］
識別子を伴う商品であって、
光学式分光リーダを使用して読み取り可能な標識を各タイプが有する１つ以上のタイプのシリカベースのタグがＳＯＤＦ又は液剤に追加されている商品。
［適用例２３］
適用例２２に記載の商品であって、
各タイプのシリカベースのタグは、イメージャを使用して読み取り可能な標識を有する、商品。
［適用例２４］
適用例２２に記載の商品であって、
前記商品は、経口固形製剤を含む、商品。
［適用例２５］
適用例２４に記載の商品であって、
前記経口固形製剤は、錠剤、カプセル、カプレット、粉末、結晶粉末、又は薄膜の１つを含む、商品。
［適用例２６］
適用例２２に記載の商品であって、
前記１つ以上の商品の１つは、液剤を含む、商品。
［適用例２７］
適用例２６に記載の商品であって、
前記液剤は、クリーム、ゲル、塗布薬、香膏、水剤、注射剤、又は軟膏の１つを含む、商品。